(57)【要約】  洗濯機の水路構造（１）及び洗濯機であって、水路構造（１）は洗濯機の洗浄槽（１８）の壁に設置されている。水路構造は、固定接続される第１水路部（２）と第２水路部（３）を含み、これらが洗浄槽（１８）と連通する空洞経路（４）を取り囲んでいる。空洞経路（４）は第１側壁（８）と第２側壁（９）を有している。第１側壁（８）と第２側壁（９）は、洗浄槽（１８）の径方向に一定の距離を隔てて対向するよう設置されている。第１水路部（２）と第２水路部（３）との接続箇所は第１側壁（８）及び／又は第２側壁（９）上に位置している。当該水路構造（１）における第１水路部（２）と第２水路部（３）との接続箇所（５）は水流の回転方向に位置していないため、脆弱な接続箇所（５）に対する水流の衝撃を回避可能であり、水路における漏水の発生が防止される。【選択図】図３
2021531064.tif 000002
【特許請求の範囲】
【請求項１】
洗濯機の洗浄槽の壁に設置される洗濯機の水路構造であって、
固定接続される第１水路部と第２水路部を含み、これらが洗浄槽と連通する空洞経路を取り囲んでおり、空洞経路は第１側壁と第２側壁を有しており、第１側壁と第２側壁は洗浄槽の径方向に一定の距離を隔てて対向するよう設置されており、第１水路部と第２水路部との接続箇所は第１側壁及び／又は第２側壁上に位置していることを特徴とする水路構造。
【請求項２】
前記第１水路部と第２水路部との接続箇所は第１側壁及び第２側壁上に位置しており、第１側壁上の接続箇所及び第２側壁上の接続箇所が位置する平面は、洗浄槽の径方向と平行か一定の角度をなすよう設けられることを特徴とする請求項１に記載の洗濯機の水路構造。
【請求項３】
第１側壁上の接続箇所及び第２側壁上の接続箇所が位置する平面は、第１側壁及び第２側壁の周方向における両端間の中央線が位置する平面上に位置するか、一方の側に偏っていることを特徴とする請求項１又は２に記載の洗濯機の水路構造。
【請求項４】
前記空洞経路は、洗浄槽の側壁において洗浄槽の高さ方向に上下に延設されており、少なくとも上端に洗浄槽と連通する開口を有しており、空洞経路の内部には迎水面が備わっており、水流が空洞経路に進入したあとに、前記迎水面は洗浄槽の周方向における水流の方向と向き合うよう設置されており、第１側壁上の接続箇所及び第２側壁上の接続箇所はいずれも迎水面から離間して設置されることを特徴とする請求項１〜３のいずれか１項に記載の洗濯機の水路構造。
【請求項５】
前記空洞経路は第３側壁及び第４側壁を含み、第３側壁と第４側壁は洗浄槽の周方向に一定の距離を隔てて対向するよう設置され、水流は空洞経路に進入したあと洗浄槽の周方向において第３側壁と向き合い、前記第３側壁は迎水面であり、第４側壁は背水面であり、第１側壁上の接続箇所及び第２側壁上の接続箇所は、第３側壁からは離間し、第４側壁に近接して設置されることを特徴とする請求項４に記載の洗濯機の水路構造。
【請求項６】
前記第１水路部は第１凹型空洞を有し、第２水路部は第２凹型空洞を有し、第１凹型空洞及び第２凹型空洞の開口は対向しており、２つの開口の辺縁が然るべく組み合わされて固定接続されることでこれらの接続箇所が形成され、第１凹型空洞と第２凹型空洞の双方によって前記空洞経路が形成されることを特徴とする請求項１〜５のいずれか１項に記載の洗濯機の水路構造。
【請求項７】
前記第１水路部又は第２水路部は、洗浄槽の周方向に沿って設置される内側板及び外側板をそれぞれ含み、内側板と外側板は、洗浄槽の径方向の内外に設置され、且つ一定の距離を隔てており、内側板と外側板の同一側の端には接続板が設けられており、内側板、外側板及び接続板によって第１凹型空洞又は第２凹型空洞が取り囲まれ、第１凹型空洞又は第２凹型空洞の一方の側には開口が備わっており、
好ましくは、前記第１水路部及び第２水路部の内側板が空洞経路の第１側壁を形成し、前記第１水路部及び第２水路部の外側板が空洞経路の第２側壁を形成し、
好ましくは、第１水路部及び第２水路部の接続板がそれぞれ空洞経路の第３側壁及び第４側壁を形成することを特徴とする請求項６に記載の洗濯機の水路構造。
【請求項８】
前記内側板、外側板及び接続板は一体成型されるか密封状に固定接続され、前記接続板と内側板及び外側板との接続箇所は滑らかに連なっており、
好ましくは、前記内側板のうち洗浄槽に近接する側は、洗浄槽の周方向の側壁と一致する曲面となっており、
好ましくは、前記外側板は洗浄槽の周方向と一致する円弧状プレートであることを特徴とする請求項７に記載の洗濯機の水路構造。
【請求項９】
前記第１水路部は第１側板であり、前記第２水路部は凹型空洞を有しており、前記凹型空洞は開口を有し、開口の方向は洗浄槽の円周方向と接しており、前記第１側板は開口の辺縁に固定接続されるとともに、開口を密封状に覆っており、
好ましくは、前記第２水路部は洗浄槽の周方向に沿って設置される内側板及び外側板を含み、内側板と外側板は、洗浄槽の径方向の内外に並んで設置され、且つ一定の距離を隔てており、内側板と外側板の同一側の端には接続板が設置されており、前記第１側板が内側板及び外側板の他端に固定接続されており、これらによって空洞経路が取り囲まれることを特徴とする請求項１〜５のいずれか１項に記載の洗濯機の水路構造。
【請求項１０】
洗浄槽を含み、洗浄槽の外側壁又は内側壁に水路構造が装着されており、水路構造は固定接続される第１水路部と第２水路部を含み、これらが洗浄槽と連通する空洞経路を取り囲んでおり、空洞経路は第１側壁と第２側壁を有しており、第１側壁と第２側壁は洗浄槽の径方向に一定の距離を隔てて対向するよう設置されており、第１水路部と第２水路部との接続箇所は第１側壁及び／又は第２側壁上に位置していることを特徴とする洗濯機。
【発明の詳細な説明】
【技術分野】
【０００１】
本発明は洗濯機の分野に属し、具体的には、洗濯機の水路構造及び洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽とパルセータを回転させるよう構成されるモータ及びクラッチ、を含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を増大させるためには、より大きな回転槽が必要となる。即ち、回転槽の高さ又は直径を拡大する必要がある。また、回転槽がより大きなサイズを有する場合には、回転槽を収容する槽及び槽を収容するハウジングもまた、回転槽の拡大に伴って大きくする必要がある。しかし、洗濯機の外観に相当するハウジングの拡大は、洗濯機の設置領域のスペースに規制される。一般的なユーザの家では、洗濯機の設置位置に限りがあるため、洗濯機のハウジングを拡大して洗濯槽の容量を増大させるとの目的を達成することはあまり現実的でない。そこで、洗濯機のハウジングを拡大することなく、如何にして回転槽の容量を増大させるかが設計者を悩ませる大きな難題となっていた。
【０００４】
しかし、孔の無い内槽の登場によって、第一に、内槽と外槽の間を無水とすることが可能となり、クリーニング及び節水の目的が達成されるようになった。また、第二に、内槽の有効容積を拡大するための前提条件が提供されている。孔の無い内槽の上部には脱水孔が設けられており、孔の無い内槽を備える洗濯機は、内槽の側壁に水路が設置されている。そのため、脱水時には、内槽内の水が遠心力の作用で脱水孔を通じて水路に進入し、脱水された水が洗濯機の外部に排出される。通常、内槽の側壁の水路は２つの部分を溶着してなる。水路は、中心軸線に沿って内外２つの部分に分けられる。しかし、溶着の継ぎ目が洗濯槽の周方向に面しているため、回転する水流から衝撃を直に受けやすい。このことから、溶着不良の場合や長期間使用している場合には、脱水時に漏水が発生する恐れがある。
【０００５】
以上に鑑みて、本発明を提案する。
【発明の概要】
【発明が解決しようとする課題】
【０００６】
本発明が解決しようとする技術的課題は、従来技術の瑕疵を解消し、洗濯機の水路構造及び洗濯機を提供することである。本発明の水路構造における第１水路部と第２水路部との接続箇所は水流の回転方向に位置していないため、脆弱な接続箇所に対する水流の衝撃を回避可能であり、水路における漏水の発生が防止される。
【課題を解決するための手段】
【０００７】
上記の技術的課題を解決するために、本発明で採用する技術方案の基本思想は以下の通りである。
【０００８】
本発明の第１の目的は、洗濯機の洗浄槽の壁に設置される洗濯機の水路構造を提供することである。水路構造は、固定接続される第１水路部と第２水路部を含み、これらが洗浄槽と連通する空洞経路を取り囲んでいる。空洞経路は第１側壁と第２側壁を有している。第１側壁と第２側壁は、洗浄槽の径方向に一定の距離を隔てて対向するよう設置されている。第１水路部と第２水路部との接続箇所は第１側壁及び／又は第２側壁上に位置している。
【０００９】
更なる方案として、前記第１水路部と第２水路部との接続箇所は第１側壁及び第２側壁上に位置している。第１側壁上の接続箇所及び第２側壁上の接続箇所が位置する平面は、洗浄槽の径方向と平行か一定の角度をなすよう設けられる。
【００１０】
更なる方案として、第１側壁上の接続箇所及び第２側壁上の接続箇所が位置する平面は、第１側壁及び第２側壁の周方向における両端間の中央線が位置する平面上に位置するか、一方の側に偏っている。
【００１１】
更なる方案として、前記空洞経路は、洗浄槽の側壁において洗浄槽の高さ方向に上下に延設されており、少なくとも上端に洗浄槽と連通する開口を有している。空洞経路の内部には迎水面が備わっている。水流が空洞経路に進入したあとに、前記迎水面は洗浄槽の周方向における水流の方向と向き合うよう設置されている。第１側壁上の接続箇所及び第２側壁上の接続箇所はいずれも迎水面から離間して設置される。
【００１２】
更なる方案として、前記空洞経路は第３側壁及び第４側壁を含む。第３側壁と第４側壁は、洗浄槽の周方向に一定の距離を隔てて対向するよう設置される。水流は、空洞経路に進入したあと、洗浄槽の周方向において第３側壁と向き合う。前記第３側壁は迎水面であり、第４側壁は背水面である。第１側壁上の接続箇所及び第２側壁上の接続箇所は第３側壁からは離間し、第４側壁に近接して設置される。
【００１３】
更なる方案として、前記第１水路部は第１凹型空洞を有し、第２水路部は第２凹型空洞を有する。第１凹型空洞及び第２凹型空洞の開口は対向しており、２つの開口の辺縁が然るべく組み合わされて固定接続されることで、これらの接続箇所が形成される。また、第１凹型空洞と第２凹型空洞の双方によって前記空洞経路が形成される。
【００１４】
更なる方案として、前記第１水路部又は第２水路部は、洗浄槽の周方向に沿って設置される内側板及び外側板をそれぞれ含む。内側板と外側板は、洗浄槽の径方向の内外に設置され、且つ一定の距離を隔てている。内側板と外側板の同一側の端には接続板が設けられており、内側板、外側板及び接続板によって第１凹型空洞又は第２凹型空洞が取り囲まれる。また、第１凹型空洞又は第２凹型空洞の一方の側には開口が備わっている。
【００１５】
好ましくは、前記第１水路部及び第２水路部の内側板が空洞経路の第１側壁を形成し、前記第１水路部及び第２水路部の外側板が空洞経路の第２側壁を形成する。
【００１６】
好ましくは、第１水路部及び第２水路部の接続板がそれぞれ空洞経路の第３側壁及び第４側壁を形成する。
【００１７】
更なる方案として、前記内側板、外側板及び接続板は一体成型されるか、密封状に固定接続される。前記接続板と内側板及び外側板との接続箇所は滑らかに連なっている。
【００１８】
好ましくは、前記内側板のうち洗浄槽に近接する側は、洗浄槽の周方向の側壁と一致する曲面となっている。
【００１９】
好ましくは、前記外側板は洗浄槽の周方向と一致する円弧状プレートである。
【００２０】
更なる方案として、前記第１水路部は第１側板であり、前記第２水路部は凹型空洞を有している。前記凹型空洞は開口を有し、開口の方向は洗浄槽の円周方向と接している。前記第１側板は開口の辺縁に固定接続されるとともに、開口を密封状に覆う。
【００２１】
好ましくは、前記第２水路部は洗浄槽の周方向に沿って設置される内側板及び外側板を含む。内側板と外側板は、洗浄槽の径方向の内外に並んで設置され、且つ一定の距離を隔てている。また、内側板と外側板の同一側の端には接続板が設置されており、前記第１側板が内側板及び外側板の他端に固定接続されており、これらによって空洞経路が取り囲まれる。
【００２２】
本発明の第２の目的は、洗濯機を提供することである。洗濯機は洗浄槽を含み、洗浄槽の外側壁又は内側壁に水路構造が装着されている。水路構造は、固定接続される第１水路部と第２水路部を含み、これらが洗浄槽と連通する空洞経路を取り囲んでいる。空洞経路は第１側壁と第２側壁を有している。第１側壁と第２側壁は、洗浄槽の径方向に一定の距離を隔てて対向するよう設置されている。第１水路部と第２水路部との接続箇所は第１側壁及び／又は第２側壁上に位置している。
【発明の効果】
【００２３】
上記の技術方案を用いることで、本発明は従来技術と比較して以下の有益な効果を有する。
【００２４】
１．本発明の水路構造は空洞経路を有している。空洞経路は第１側壁と第２側壁を備え、第１側壁と第２側壁は、洗浄槽の径方向に一定の距離を隔てて対向するよう設置されている。第１水路部と第２水路部との接続箇所は第１側壁及び／又は第２側壁上に位置している。そのため、本発明の水路構造における第１水路部と第２水路部との接続箇所は水流の回転方向には位置していない。これにより、脆弱な接続箇所に対する水流の衝撃を回避可能であり、水路における漏水の発生が防止される。特に、接続箇所の溶着不良や長期間の使用によって脱水時に発生する漏水を回避可能である。
【００２５】
２．本発明の水路構造における第１水路部と第２水路部との接続箇所が水流の回転方向に位置しないだけでなく、空洞経路の内部には迎水面が備わっている。水流が空洞経路に進入したあとに、迎水面は洗浄槽の周方向における水流の方向と向き合うよう設置されている。第１側壁上の接続箇所及び第２側壁上の接続箇所はいずれも迎水面から離間して設置される。これにより、接続箇所に対する水流の衝撃を更に低減させられるため、水路の密封性が保証され、洗濯機の運転の安全性が保証される。
【００２６】
以下に、図面を組み合わせて、本発明の具体的実施形態につき更に詳細に述べる。
【００２７】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２８】
【図１】図１は、本発明の水路構造を正面から見た構造図である。
【図２】図２は、本発明における水路構造の縦方向の断面構造を示す図である。
【図３】図３は、本発明における接続後の水路構造の横方向全体の断面構造を示す図である。
【図４】図４は、本発明における接続前の水路構造の横方向全体の断面構造を示す図である。
【図５】図５は、本発明における水路構造を内槽の側壁に装着した場合の横方向全体の断面構造を示す図である。
【図６】図６は、本発明における水路構造を有する洗濯機の断面構造を示す図である。
【発明を実施するための形態】
【００２９】
説明すべき点として、これらの図面及び文字記載は何らかの方式で本発明の構想の範囲を制限するとの意図ではなく、特定の実施例を参照して当業者に本発明の概念を説明するためのものである。
【００３０】
本発明における実施例の目的、技術方案及び利点をより明確とすべく、以下では、本発明の実施例にかかる図面を組み合わせて、実施例の技術方案につき明瞭簡潔に述べる。なお、以下の実施例は本発明を説明するためのものであって、本発明の範囲を制限するものではない。
【００３１】
本発明の記載において、説明すべき点として、「上」、「下」、「前」、「後」、「左」、「右」、「縦」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３２】
本発明の記載において、説明すべき点として、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３３】
図１〜図５に示すように、本実施例は、洗濯機の洗浄槽１８の壁に設置される洗濯機の水路構造１を提供する。水路構造１は、固定接続される第１水路部２と第２水路部３を含み、これらが洗浄槽１８と連通する空洞経路４を取り囲んでいる。空洞経路４は第１側壁８と第２側壁９を有している。第１側壁８と第２側壁９は、洗浄槽１８の径方向に一定の距離を隔てて対向するよう設置されている。第１水路部２と第２水路部３との接続箇所５は第１側壁８及び／又は第２側壁９上に位置している。
【００３４】
水路構造１は洗濯機の洗浄槽１８の壁に設置されており、水路構造１の空洞経路４は洗浄槽１８の内部と連通している。水路構造１は脱水時の排水に用いられる。孔の無い内槽の上部には脱水孔が設けられており、孔の無い内槽を備える洗濯機は洗浄槽の側壁に水路が設置されている。そのため、脱水時には、内槽内の水が遠心力の作用で脱水孔を通じて水路に進入し、脱水された水が洗濯機の外部に排出される。水路構造１の空洞経路４は、洗浄槽１８の側壁において洗浄槽１８の高さ方向に上下に延設されている。
【００３５】
説明すべき点として、各図面内の符号５で示す接続箇所の線は実際には存在しない。当該線は接続箇所をより明確に説明するために標記したものであって、接続箇所の位置又は接続箇所が位置する平面を示すためのものである。
【００３６】
本発明の水路構造１における第１側壁８と第２側壁９は、洗浄槽１８の径方向に一定の距離を隔てて対向するよう設置される側壁である。第１水路部２と第２水路部３との接続箇所５は第１側壁８及び／又は第２側壁９上に位置している。そのため、接続箇所５は水流の回転方向には位置しておらず、脆弱な接続箇所５に対する水流の衝撃を回避可能なことから、水路における漏水の発生が防止される。特に、接続箇所５の溶着不良や長期間の使用によって脱水時に発生する漏水を回避可能である。
【００３７】
第１水路部２と第２水路部３との接続箇所５は、第１側壁８上又は第２側壁９上にのみ位置していてもよいし、第１側壁８上と第２側壁９上に同時に位置していてもよい。いずれの場合でも、接続箇所５が洗濯槽の周方向に面することを回避可能なため、回転水流が接続箇所５に大きな衝撃を与えることがなく、漏水の発生が回避される。
【００３８】
更なる方案として、前記第１水路部２と第２水路部３との接続箇所５は第１側壁８及び第２側壁９上に位置している。第１側壁８上の接続箇所５及び第２側壁９上の接続箇所５が位置する平面は、洗浄槽１８の径方向と平行か一定の角度をなすよう設けられる。
【００３９】
即ち、第１側壁８及び第２側壁９上の第１水路部２と第２水路部３との接続箇所５が位置する平面は、第１側壁８及び第２側壁９と一定の夾角をなすよう設けられる。当該夾角は０〜１８０°である。夾角が９０°の場合、接続箇所５が位置する平面は第１側壁８及び第２側壁９と垂直に設けられる。或いは、接続箇所５が位置する平面は、洗浄槽１８の径方向と平行としてもよいし、一定の角度をなすよう設けてもよい。こうすることで、第１水路部２と第２水路部３の形状に応じて接続しやすくなるほか、接続箇所５に対する強い衝撃を回避するとの効果も達成可能となる。
【００４０】
第１側壁８上の接続箇所５及び第２側壁９上の接続箇所５が位置する平面と、第１側壁８の周方向における両端間の中央線及び第２側壁９の周方向における両端間の中央線が位置する平面との関係には次の３つの状況が存在する。
【００４１】
状況１：第１側壁８上の接続箇所５及び第２側壁９上の接続箇所５が位置する平面が、第１側壁８及び第２側壁９の周方向における両端間の中央線が位置する平面上に位置する。この場合には、第１水路部２と第２水路部３が左右対称であり、接続箇所５が中央位置に存在する。
【００４２】
状況２：第１側壁８上の接続箇所５及び第２側壁９上の接続箇所５が位置する平面が、第１側壁８及び第２側壁９の周方向における両端間の中央線が位置する平面と交差する。この場合には、第１水路部２と第２水路部３が相補的に組み合わされるよう設置され、第１側壁８上の接続箇所５と第２側壁９上の接続箇所５が縦方向の中心軸線を中心として対称となる。
【００４３】
状況３：第１側壁８上の接続箇所５及び第２側壁９上の接続箇所５が位置する平面が、第１側壁８及び第２側壁９の周方向における両端間の中央線が位置する平面と平行であり、且つ当該平面の一方の側に位置する。当該状況は、図３及び図４に示す通りである。
【００４４】
いずれの状況であっても、第１側壁８上の接続箇所５及び第２側壁９上の接続箇所５によれば、接続箇所５が洗濯槽の周方向と面することがない。よって、回転水流が接続箇所５に大きな衝撃を与えることがなく、漏水の発生が回避される。
【実施例２】
【００４５】
図１〜図５に示すように、本実施例は実施例１を更に限定する。本実施例における水路構造１の空洞経路４は、洗浄槽１８の側壁において洗浄槽１８の高さ方向に上下に延設されており、少なくとも上端に洗浄槽１８と連通する開口１４を有している。空洞経路４の内部には迎水面６が備わっている。水流が空洞経路４に進入したあとに、前記迎水面６は洗浄槽１８の周方向における水流の方向と向き合うよう設置されている。第１側壁８上の接続箇所５及び第２側壁９上の接続箇所５はいずれも迎水面６から離間して設置される。
【００４６】
洗浄槽１８が脱水時に回転する際、水流は遠心力の作用によって洗浄槽１８の回転から遅れるため、水流の回転方向は洗浄槽１８の回転方向とは逆になる。図５に示すように、洗浄槽１８が時計回りに回転する場合、水流は逆方向に振り飛ばされる。即ち、水流は反時計回りに回転する。よって、水流が水路構造１の空洞経路４内に進入したあとに、洗浄槽１８の周方向における水流の方向と向き合うよう設置される側壁が迎水面６となる。この場合、第１側壁８上の接続箇所５及び第２側壁９上の接続箇所５はいずれも背水面７に近接し、迎水面６からは離間して設置される。これにより、接続箇所５が受ける水流の圧力を更に低減させられるため、接続箇所５の破損による漏水が更に回避される。
【００４７】
更に、具体的な方案として、前記空洞経路４は第３側壁１０及び第４側壁１１を含む。第３側壁１０と第４側壁１１は、洗浄槽１８の周方向に一定の距離を隔てて対向するよう設置される。水流は、空洞経路４に進入したあと、洗浄槽１８の周方向において第３側壁１０と向き合う。前記第３側壁１０は迎水面６であり、第４側壁１１は背水面７である。第１側壁８上の接続箇所５及び第２側壁９上の接続箇所５は、第３側壁１０からは離間し、第４側壁１１に近接して設置される。
【００４８】
本方案の空洞経路４はどのような形状であっても、第１側壁８、第２側壁９、第３側壁１０及び第４側壁１１を含む。第１側壁８と第２側壁９は、洗浄槽１８の径方向に一定の距離を隔てて対向するよう設置され、第３側壁１０と第４側壁１１は、洗浄槽１８の周方向に一定の距離を隔てて対向するよう設置される。第１側壁８及び第２側壁９は、２つの部分をつなぎ合わせて構成してもよい。第３側壁１０及び第４側壁１１は、第１側壁８及び第２側壁９の両端に位置するとともに、それぞれ密封状に接続されるか、一体的に成型される。また、接続箇所５は第４側壁１１に近接して設置される。こうすることで、水流は空洞経路４内に進入したあと、より多くが集中的に第３側壁１０に衝撃を与える。そのため、第４側壁１１及びその周囲が受ける圧力は最小となり、接続箇所５の破損による漏水も発生しにくくなるため、洗濯機の安全運転が保証される。
【００４９】
より具体的に、前記第１水路部２と第２水路部３は、溶着及び／又は接着により固定接続する。第１水路部２と第２水路部３の設置方式には以下のいくつかが存在するが、これらに限らない。
【００５０】
方案１：前記第１水路部２は第１凹型空洞１２を有し、第２水路部３は第２凹型空洞１３を有する。第１凹型空洞１２及び第２凹型空洞１３の開口１４は対向しており、２つの開口１４の辺縁が然るべく組み合わされて固定接続されることで、これらの接続箇所５が形成される。また、第１凹型空洞１２と第２凹型空洞１３の双方によって前記空洞経路４が形成される。
【００５１】
更なる方案として、前記第１水路部２又は第２水路部３は、洗浄槽１８の周方向に沿って設置される内側板１５及び外側板１６をそれぞれ含む。内側板１５と外側板１６は、洗浄槽１８の径方向の内外に設置され、且つ一定の距離を隔てている。内側板１５と外側板１６の同一側の端には接続板１７が設けられており、内側板１５、外側板１６及び接続板１７によって第１凹型空洞１２又は第２凹型空洞１３が取り囲まれる。また、第１凹型空洞１２又は第２凹型空洞１３の一方の側には開口１４が備わっている。
【００５２】
本方案において、第１水路部２又は第２水路部３の構造は類似しているが、幅が異なっている。また、第１凹型空洞１２及び第２凹型空洞１３は対向する側面開口１４を有している。よって、接続箇所５を中心の一方の側に位置させて、背水面７の一方の側に近接させやすい。第１水路部２又は第２水路部３は、いずれも内側板１５、外側板１６及び接続板１７で取り囲まれている。また、第１水路部２と第２水路部３は溶着により接続される。これにより、接続箇所５が水流の衝撃を受けないよう更に保証可能となり、水路構造１の密封性が保証されるため、洗濯機の安全運転が保証される。
【００５３】
好ましくは、前記第１水路部２及び第２水路部３の内側板１５が空洞経路４の第１側壁８を形成し、前記第１水路部２及び第２水路部３の外側板１６が空洞経路４の第２側壁９を形成する。
【００５４】
好ましくは、第１水路部２及び第２水路部３の接続板１７がそれぞれ空洞経路４の第３側壁１０及び第４側壁１１を形成する。
【００５５】
更なる方案として、前記内側板１５、外側板１６及び接続板１７は一体成型されるか、密封状に固定接続される。また、前記接続板１７と内側板１５及び外側板１６との接続箇所５は滑らかに連なっているため、糸屑や汚れの蓄積を回避可能である。
【００５６】
好ましくは、前記内側板１５のうち洗浄槽１８に近接する側は、洗浄槽１８の周方向の側壁と一致する曲面となっている。これにより、洗浄槽１８の側壁とより良好に密着可能となり、水路構造１がいっそう良好に固定されるとともに、回転に対する抵抗力も低減させられる。また、占有スペースが小さくなる。
【００５７】
好ましくは、前記外側板１６は、洗浄槽１８の周方向と一致する円弧状プレートである。
【００５８】
方案２：前記第１水路部２は第１側板であり、前記第２水路部３は凹型空洞を有している。前記凹型空洞は開口１４を有し、開口１４の方向は洗浄槽１８の円周方向と接している。前記第１側板は開口１４の辺縁に固定接続されるとともに、開口１４を密封状に覆う。
【００５９】
本方案において、第１水路部２及び第２水路部３は構造の違いが大きい。第１水路部２は単なる側板、即ち第１側板であり、第２水路部３は凹型空洞を有している。第１側板は凹型空洞の側辺開口１４を覆うことで、空洞経路４を取り囲んでいる。このように、第１水路部２と第２水路部３との接続箇所５は、第１側板及び凹型空洞の開口１４の辺縁に位置するとともに、洗浄槽１８の周方向には位置しておらず、且つ背水面７側に位置している。これにより接続箇所５に対する水流の衝撃を低減させられるため、水路の密封性が保証され、洗濯機の運転の安全性が保証される。
【００６０】
好ましくは、前記第２水路部３は、洗浄槽１８の周方向に沿って設置される内側板１５及び外側板１６を含む。内側板１５と外側板１６は、洗浄槽１８の径方向の内外に並んで設置され、且つ一定の距離を隔てている。また、内側板１５と外側板１６の同一側の端には接続板１７が設置されており、前記第１側板が内側板１５及び外側板１６の他端に固定接続されており、これらによって空洞経路が取り囲まれる。
【００６１】
方案３：第２水路部３は、洗浄槽１８の周方向に沿って設置される内側板１５及び外側板１６を含む。内側板１５と外側板１６は、洗浄槽１８の径方向の内外に並んで設置され、且つ一定の距離を隔てている。また、内側板１５と外側板１６の両側端にはそれぞれ接続板１７が設置されており、空洞を取り囲んでいる。内側板１５又は外側板１６の中央部又は背水面７寄りの一端には開口１４が設けられており、凹型空洞の開口１４を形成している。こうすることで、開口１４の方向は洗浄槽１８の中心方向に面するか背向する。第１水路部２は第１側板である。前記第１側板は開口１４の辺縁に固定接続されるとともに、開口１４を密封状に覆う。こうすることで、第１水路部２と第２水路部３との接続箇所５は内側板１５又は外側板１６にのみ位置することになる。即ち、洗浄槽１８の径方向に位置する。この場合にも同様に、接続箇所５の圧力を低減させて水路の漏水を防止するとの目的を達成可能である。
【実施例３】
【００６２】
図１〜図５に示すように、本実施例は、洗浄槽１８を含む洗濯機を提供する。洗浄槽１８の外側壁又は内側壁には水路構造１が装着されている。水路構造１は、固定接続される第１水路部２と第２水路部３を含み、これらが洗浄槽１８と連通する空洞経路４を取り囲んでいる。空洞経路４は第１側壁８と第２側壁９を有している。第１側壁８と第２側壁９は、洗浄槽１８の径方向に一定の距離を隔てて対向するよう設置されている。第１水路部２と第２水路部３との接続箇所５は第１側壁８及び／又は第２側壁９上に位置している。
【００６３】
本実施例の洗濯機における水路構造１の第１水路部２と第２水路部３との接続箇所５は、水流の回転方向には位置していない。そのため、脆弱な接続箇所５に対する水流の衝撃を回避可能であり、水路における漏水の発生が防止される。特に、接続箇所５の溶着不良や長期間の使用によって脱水時に発生する漏水を回避可能である。
【００６４】
水路構造１の第１水路部２と第２水路部３との接続箇所５が水流の回転方向に位置しないだけでなく、空洞経路４の内部には迎水面６が備わっている。水流が空洞経路４に進入したあとに、迎水面６は洗浄槽１８の周方向における水流の方向と向き合うよう設置されている。第１側壁８上の接続箇所５及び第２側壁９上の接続箇所５はいずれも迎水面６から離間して設置される。これにより、接続箇所５に対する水流の衝撃を更に低減させられるため、水路の密封性が保証され、洗濯機の運転の安全性が保証される。
【００６５】
以上は本発明の好ましい実施例にすぎず、本発明を何らかの形式に制限するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる任意の簡単な修正、同等の変形及び補足は、いずれも本発明の方案の範囲に属する。
【符号の説明】
【００６６】
１  水路構造
２  第１水路部
３  第２水路部
４  空洞経路
５  接続箇所
６  迎水面
７  背水面
８  第１側壁
９  第２側壁
１０  第３側壁
１１  第４側壁
１２  第１凹型空洞
１３  第２凹型空洞
１４  開口
１５  内側板
１６  外側板
１７  接続板
１８  洗浄槽
【図１】
2021531064.tif 000003
【図２】
2021531064.tif 000004
【図３】
2021531064.tif 000005
【図４】
2021531064.tif 000006
【図５】
2021531064.tif 000007
【図６】
2021531064.tif 000008
【国際調査報告】
2021531064.tif 000009
2021531064.tif 000010
2021531064.tif 000011
2021531064.tif 000012
2021531064.tif 000013
2021531064.tif 000014